(57)【特許請求の範囲】
【請求項１】
ズボンの前身頃のパターンを作図する際に、股上部および股下部の輪郭線を描いた後に、渡り線の中心点を通るズボンの長さ方向の基線である前折り山線を脇方向に移動量１〜３ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃の基本パターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃の基本パターンを作製し、前記前身頃および後身頃の基本パターンにおいて膝線から１０〜１６ｃｍ下方の位置をふくらはぎ線とし、前記前身頃の基本パターンにおいてふくらはぎ線から下方部分における脇線および内股線を前記基本パターンの脇線および内股線よりも前折り山線の方向に１〜５ｍｍ移動して描くとともに、該移動した脇線および内股線の上端と前記基本パターンの膝線の位置における脇線および内股線とを繋ぐように描いて、膝線から下方部分の幅を狭めた修正パターンを作製し、前記後身頃の基本パターンにおいてはふくらはぎ線から下方部分における脇線および内股線を前記基本パターンの脇線および内股線よりも後折り山線から離れる方向に前記前身頃で狭めた分量と同じ分量を移動して描くとともに、該移動した脇線および内股線の上端と前記基本パターンの膝線の位置における脇線および内股線とを繋ぐように描いて、膝線から下方部分の幅を広げた修正パターンを作製し、該前身頃および後身頃の修正パターンに基いて生地を裁断し、該裁断した前身頃生地を前記移動後の前折り山線に沿って裾から内股線の上端の位置より５ｃｍ以上上までプレスにより折り目を付け、前記裁断した後身頃生地を前記移動後の後折り山線に沿って裾から内股線の上端の位置より４ｃｍ以上上までプレスにより折り目を付け、その後、前身頃生地と後身頃生地とを縫製し、膝線付近から下方部分の脇縫い目および内股縫い目を真っ直ぐにするようにプレスすることを特徴とするズボンの製作方法。
【発明の詳細な説明】
【技術分野】
【０００１】
本発明はズボンの製作方法に関する。特に、脚を上げる動作などが行い易く且つスマートに見えるズボンの製作方法に関するものである。
【背景技術】
【０００２】
従来のズボンは真っ直ぐに立った状態に合せて形状、寸法が決定されている。そのため、日常生活において立った状態、或いは歩いている状態では何ら問題はない。
【０００３】
一方、最近では、レギュラーパンツ（筒状の股下部の幅が余り狭くないズボン）よりも、スマートに見えるという理由で細身のパンツが好まれる傾向がある。
【０００４】
しかるに、細身のパンツを着用している場合、立った状態、或いは歩いている状態では窮屈でなくても、階段の昇り降りなどのように脚を上げる動作をすると、パンツの膝付近から裾までが上方に持ち上げられるが、その際、ふくらはぎに引っ掛かり、動き難いという問題があり、また、屈む等の動作をする場合も窮屈感がある。
【０００５】
このような問題を解決するには、ポリウレタン糸のようなストレッチ素材が入っている生地を使用したズボンとすればよいが、このようなズボンは膝が抜け易い（膝の部分が外側に膨らんで出っぱる）という問題がある。
【０００６】
一方、本願出願人は先にゴルフをする際に着用するのに適したズボンを特許文献１（特許第５０６０６７９号公報）において提案した。このズボンは足を開いた状態で身体を動かし易いように、前身頃と後身頃の折り山線をそれぞれ脇方向に移動して設計されたものである。
【先行技術文献】
【特許文献】
【０００７】
【特許文献１】特許第５０６０６７９号公報
【発明の概要】
【発明が解決しようとする課題】
【０００８】
先行文献１の発明では足を開いての大きな動作のし易さに着目しているが、脚を挙げる動作については配慮されていない。特に、引用文献１に開示の第１実施例では従来のズボンと同様に見た目が太めであり、第２実施例のズボンの場合は細身に仕立てるので脚を挙げ難くなると問題がある。
【０００９】
本発明は、従来技術のズボンの問題を解決して、見た目がスリムであり、しかも着用していて楽であり、脚を挙げる等の動作が行い易いズボンの製作方法を提供することを目的とする。
【課題を解決するための手段】
【００１１】
本発明は、ズボンの前身頃のパターンを作図する際に、股上部および股下部の輪郭線を描いた後に、渡り線の中心点を通るズボンの長さ方向の基線である前折り山線を脇方向に移動量１〜３ｃｍ平行移動するとともに、脇線および内股線を膝線から下方は元の脇線および内股線に平行に脇方向に前記移動量と同じ分量移動し、膝線から上の脇線および内股線は前記移動した膝線の位置の脇線および内股線と渡り線の位置における元の脇線および内股線とを繋ぐように描いて前身頃の基本パターンを作製し、ズボンの後身頃のパターンの作図においても同様に股上部および股下部の輪郭線を描いた後に、後折り山線を脇方向に前記移動量と同じ分量平行移動するとともに、脇線および内股線を膝線から下方は元の脇線および内股線に平行に脇方向に前記移動量と同じ分量移動し、膝線から上の脇線は前記移動した膝線の位置の脇線と渡り線の位置における元の脇線とを繋ぐように描き、膝線から上の内股線は前記移動した膝線の位置の内股線と元の内股線の上端とを繋ぐように描いて後身頃の基本パターンを作製し、前記前身頃および後身頃の基本パターンにおいて膝線から１０〜１６ｃｍ下方の位置をふくらはぎ線とし、前記前身頃の基本パターンにおいてふくらはぎ線から下方部分における脇線および内股線を前記基本パターンの脇線および内股線よりも前折り山線の方向に１〜５ｍｍ移動して描くとともに、該移動した脇線および内股線の上端と前記基本パターンの膝線の位置における脇線および内股線とを繋ぐように描いて、膝線から下方部分の幅を狭めた修正パターンを作製し、前記後身頃の基本パターンにおいてはふくらはぎ線から下方部分における脇線および内股線を前記基本パターンの脇線および内股線よりも後折り山線から離れる方向に前記前身頃で狭めた分量と同じ分量を移動して描くとともに、該移動した脇線および内股線の上端と前記基本パターンの膝線の位置における脇線および内股線とを繋ぐように描いて、膝線から下方部分の幅を広げた修正パターンを作製し、該前身頃および後身頃の修正パターンに基いて生地を裁断し、該裁断した前身頃生地を前記移動後の前折り山線に沿って裾から内股線の上端の位置より５ｃｍ以上上までプレスにより折り目を付け、前記裁断した後身頃生地を前記移動後の後折り山線に沿って裾から内股線の上端の位置より４ｃｍ以上上までプレスにより折り目を付け、その後、前身頃生地と後身頃生地とを縫製し、膝線付近から下方部分の脇縫い目および内股縫い目を真っ直ぐにするようにプレスすることを特徴とするズボンの製作方法により前記目的を達成する。
【発明の効果】
【００１２】
本発明の方法により製作されたズボンは、見た目がスリムであり、しかも着用していて楽であり、脚を挙げる等の動作が行い易い。
【００１３】
本発明によれば、ズボンの左右の各前身頃および後身頃において、股下十字の位置においてズボンの前折り山線および後折り山線が中心から脇方向に移動して設計されている。従って、股下十字の位置（ヒップ下）において前側折り目から後側折り目までの幅が狭く、横方向から見た場合にスリムに見える。しかも、前身頃および後身頃において股下十字付近では内股縫い目から前側折り目および後側折り目までの幅が従来よりも広くなっている。このため、内股の部分に従来よりもゆとりができるので、窮屈な感じがしない。
【００１４】
また、本発明の方法により製作されたズボンでは折り目が左右の各前身頃および後身頃において股下十字の位置よりも上方まで付けられているので、横方向から見た場合、足が長く見える。
【００１５】
従来はズボンを仕立てた後に、仕上げプレス工程において折り目をプレスして付けるので、股下から裾までの前身頃と後身頃とを幅方向に半分に折って股下プレスするが、股上部では後側折り目は尻ぐり線（後中心）の上端に向かって付けられる。すなわち、ヒップ下（股下十字の位置）からウエスト方向に後身頃の幅が広がった状態で折り目が付けられる。そのため、外観から着用者の足はヒップ下までの長さであると他者から認識される。
【００１６】
これに対して、本発明のズボンの製造方法においては、前身頃と後身頃とを縫合わせる前に、それぞれ前折り山線と後折り山線に沿ってプレスして折り目を付けるので、股下十字の位置よりも上方まで折り目を付けることができる。
【００１７】
従って、本発明のズボンは折り目が左右の各前身頃および後身頃において股下十字の位置よりも上方まで折り目が付けられているので、折り目の付いているところまでが着用者の足であると外観から判断されることになり、すなわち、足が長く見えることになる。
【００１８】
本発明のズボンの製造方法によれば、前身頃のパターンにおいて膝線から下方部分はふくらはぎ線に向かって幅を狭めて、ふくらはぎ線から裾までは狭めた幅のままとし、後身頃のパターンにおいて膝線から下方部分はふくらはぎ線に向かって幅を広げ、ふくらはぎ線から裾までは広げた幅のままとして、修正パターンを作製している。
【００１９】
このような修正パターンを使用したことにより、製造されたズボンの脚部ではふくらはぎ部の高さにおける周囲長は修正前と同じであるが、ふくらはぎ部における後身頃の幅が広くなり、ゆとりが生じるので、脚を挙げる動作をした際にも、ふくらはぎに引っ掛かることがなく、スムーズに脚を挙げることができる。
【００２０】
本発明のズボンの製造方法によれば、修正パターンに基いて裁断した前身頃と後身頃とを脇線および内股線に沿って縫い合わせるが、膝線から下方部分では前身頃の脇線および内股線はやや凹状であり、逆に後身頃の脇線および内股線はやや凸状である。このような脇線および内股線に沿って縫われた脇縫い目と内股縫い目はやや屈曲する。仕上げプレス工程において、膝線付近から下方部分の脇縫い目および内股縫い目を真っ直ぐにするようにプレスする。
【００２１】
このようにプレスすると、本発明の方法により製作されたズボンにおいては、脇縫い目は膝線より上方の部分に対して下方の部分は前側に傾くことになり、ズボンの裾は後が下がり、前が上がった状態となる。
【００２２】
一般にズボンの丈（裾）は足の踵側で決めるので、ズボンの裾が甲側でたるむ傾向がある。しかし、本発明のズボンでは裾の前側すなわち甲側は踵側より上がっているので、大きくたるんでしまうことがなく、スッキリとしたシルエットとなる。
【図面の簡単な説明】
【００２３】
【図１】図１は本発明の方法により製作されたズボンと従来のズボンの形状を比較するための図であり、図１（ａ）は本発明の方法により製作されたズボンを左右の脚部を重ね合せて平らにした状態でウエストベルトの方向から見た上面図であり、図１（ｂ）は図１（ａ）に示した状態の本発明のズボンの側面図であり、図１（ｃ）は図１（ａ）と同様に従来のズボンを平らにした状態での上面図であり、図１（ｄ）は図１（ｃ）に示した状態の従来のズボンの側面図である。
【図２】図２はズボンのパターンの一実施例を示す平面図であり、図２（ａ）は前身頃のパターンを示し、図２（ｂ）は後身頃のパターンを示している。図２（ａ）および（ｂ）において、実線により本発明のズボンのパターンの基本線および輪郭線を示し、一点鎖線により基本パターンにおける膝線から裾までの内股線と脇線を示し、二点鎖線で従来のレギュラーパンツのパターンの折り山線および股下部の輪郭線（内股線と脇線）を示す。なお、股上部の輪郭線は３つのパターンにおいて共通であり、実線で示している。
【図３】図３は図２に示した膝線から下方の部分の拡大図であり、図３（ａ）は前身頃の部分の拡大図であり、図３（ｂ）は後身頃の部分の拡大図である。実線により本発明のズボンのパターンにおける基本線と膝線から裾までの内股線と脇線を示し、一点鎖線により基本パターンにおける膝線から裾までの内股線と脇線を示している。
【図４】本発明のズボンの右脚部の内股上部の拡大平面図である。
【発明を実施するための形態】
【００２４】
従来のレギュラーパンツは真っ直ぐに立った状態に合せて形状、寸法が決定されている。本発明のズボンにおいては、寸法は従来のものと同じであるが、パターンを変更し、同時に縫製およびプレス工程を従来と異なったものとすることにより、着用感が楽であり、足挙げ等の動作が行い易く、しかもスリムに見えるズボンとしている。
【００２５】
本発明のズボンは従来のレギュラーパンツのパターンにおいて折り山線および股下部の内股線と脇線を変更し、更に膝線から下方の内股線と脇線を修正したパターンに基いて製作するものであるので、以下に、従来のズボンのパターン、折り山線および股下部の内股線と脇線を変更した基本パターン、そして、膝線から下方の内股線と脇線を修正したパターンの順に説明する。
【００２６】
図２はズボンの左身頃用のパターンであり、前身頃１と後身頃２からなる（なお、右身頃用パターンはこれらと対称である）。本発明のズボンのパターンと従来のズボンのパターンとでは、折り山線および股下部の内股線と脇線とが異なっているが、他の部分は共通である。異なっている折り山線および股下部の内股線と脇線のみ、従来のパターンを二点鎖線で示した。
【００２７】
図２において、従来のズボンのパターンの基本線は折り山線１１、２１と渡り線１２、２２である。渡り線１２、２２から上が股上部となり、下が股下部となる。膝線１３、２３はこの位置に膝小僧があるわけではなく、ズボンの筒状部にアクセント（例えば、直線から曲線に切り替える）をつける位置であり、一般に裾線１４、２４から股下寸法の１／２＋４〜１５ｃｍの位置である。図２では膝線１３、２３は裾線１４、２４から股下寸法の２／３の位置にとった。膝線１３、２３から裾までの長さが長い方が足長効果がでる。
【００２８】
図２（ａ）に示すように、前身頃１においては渡り線１２の位置で前折り山線１１の左右に同寸法に点１５、１６をとる。点１５は内股線１７の上端となる。点１６は脇線１８が通る。渡り線１２の長さはデザインやゆとり等によっても異なるが、（尻囲寸法×１／４＋小股幅）程度とするのが一般的である。
【００２９】
点１６は仕立てられたズボンにおいては股下十字（左右脚部の内股縫い目と尻縫い目が出会う股底の箇所）に位置する。
【００３０】
膝線１３の位置でも前折り山線１１の左右に同寸法に点３１、３２をとり、膝幅（なお、膝幅はデザインの関係で裾口幅と同じでも、狭くても、広くてもよい）とする。図２に示したパターンでは膝幅は裾口幅よりもやや広い。また、裾線１４の位置でも所望の裾口幅よりやや狭い寸法（前身頃の裾幅）を前折り山線１１の左右に同寸法で振り分けて点３３、３４をとる。
【００３１】
このように前折り山線１１は股下部の幅方向の中心となる線である。
【００３２】
内股線１７は点１５、３１、３３を結ぶ線であり、線分１５−３１（点１５と点３１を結ぶ線）はややカーブし、点３３から上に向かって直角に１０ｃｍ程度線を引き、その上端と点３１を直線で結ぶ。
【００３３】
脇線１８は点３４、３２、１６、３５を結ぶ線であり、線分１６−３２はややカーブし、点３４から上に向かって直角に１０ｃｍ程度線を引き、その上端と点３２を直線で結ぶ。
【００３４】
なお、線分１５−３６は股上部の設計（股上寸法、小股幅、ウエスト寸法、ゆとり分、デザイン等）により決まり、小股および前中心となるものである。線分１６−３５は股上部の脇線であり、股上部の設計（股上寸法、ウエスト寸法、ゆとり分、デザイン等）により決まり、ややカーブしている。
【００３５】
図２（ｂ）に示すように、後身頃２においても、膝線２３の位置で後折り山線２１の左右に同寸法に点４１、４２をとり、膝幅とする。また、裾線２４の位置でも所望の裾口幅より広い寸法（後身頃の裾幅）を後折り山線２１の左右に同寸法で振り分けて点４３、４４をとる。なお。通常、前身頃の膝幅（線分３１−３２の長さ）および裾幅（線分３３−３４の長さ）よりも後身頃の膝幅（線分４１−４２の長さ）および裾幅（線分４３−４４の長さ）の方が広い。
【００３６】
このように後折り山線２１は股下部の幅方向の中心となる線である。
【００３７】
内股線２７は点２５、４１、４３を結ぶ線であり、線分２５−４１はややカーブし、点４３から上に向かって直角に１０ｃｍ程度線を引き、その上端と点４１を直線で結ぶ。
【００３８】
脇線２８は点４４、４２、２６、４５を結ぶ線であり、線分２６−４２はややカーブし、点４４から上に向かって直角に１０ｃｍ程度線を引き、その上端と点４２を直線で結ぶ。
【００３９】
なお、線分２５−４６は股上部の設計（股上寸法、小股幅、ウエスト寸法、ゆとり分、デザイン等）により決まり、尻ぐり線（後中心）２９となるものである。線分２６−４５は股上部の脇線であり、股上部の設計（股上寸法、ウエスト寸法、ゆとり分、デザイン等）により決まり、ややカーブしている。
【００４０】
このパターンに基いて裁断・縫製したズボンにおいて、前身頃１の内股線１７と後身頃２の内股線２７が縫合わされる。図２に示したパターンにおいては、点２５は渡り線２２より下がっているが、縫製する際には前身頃１の点１５と後身頃２の点２５が出会うようにして縫合わされ、内股縫い目となる。前身頃１の脇線１８と後身頃２の脇線２８が縫合わされ、脇縫い目となる。また、左右脚部の尻ぐり線２９は縫合わされ、尻縫い目となる。
【００４１】
このように、パターン上の点１５、２５は、仕立てられたズボンにおける股下十字の箇所となる。ズボンの左右の各前身頃において、前身頃の裾幅の中心と股下長さの半分の位置（膝線１３より下である）における前身頃の幅の中心とを通る前折り山線が、股下十字の位置における前身頃の幅の中心に位置する。同様に、ズボンの左右の各後身頃において、後身頃の裾幅の中心と股下長さの半分の位置における後身頃の幅の中心とを通る後折り山線が、股下十字の位置における後身頃の幅の中心に位置する。
【００４２】
次に、前述したような従来の手法に従ってパターンを作図した後、折り山線および股下部の内股線と脇線を変更する基本パターンの作図について説明する。なお、図２において基本パターンにおける膝線から下の内股線と脇線は一点鎖線で示したが、折り山線、膝線から上の内股線と脇線は最終の修正パターンでも同じであるので実線で示している。
【００４３】
前身頃１において、渡り線１２の中心点を通るズボンの長さ方向の基本線である前折り山線１１を脇方向〔図２（ａ）では右方向〕に、すなわち脇線の方へ平行に移動する。この際、移動する分量（移動量）は１〜３ｃｍであり、例えば２ｃｍ移動する。移動後の前折り山線１１１を実線で示した。
【００４４】
内股線１１７を膝線１３から下方は二点鎖線で示した元の内股線１７に平行に脇方向に移動する。移動する分量は前折り山線１１１の移動量と同じであり、例えば、前折り山線１１１を２ｃｍ移動した場合は、内股線１１７も２ｃｍ移動する。移動後の膝線１３から下方の内股線１１７を一点鎖線で示した。膝線１３から上方の内股線１１７は点１３１と渡り線１２の位置の点１５（元の内股線の上端）とを滑らかなカーブで繋ぐ（実線で示した）。
【００４５】
同様に、脇線１１８を膝線１３から下方は元の脇線１８に平行に脇方向に移動する。移動する分量は前折り山線１１１の移動量と同じであり、例えば、前折り山線１１１を２ｃｍ移動した場合は、脇線１１８も２ｃｍ移動する。移動後の膝線１３から下方の脇線１１８を一点鎖線で示した。膝線から上方の脇線１１８は点１３２と点１６（渡り線１２の位置における元の脇線の点）とを滑らかなカーブで繋ぐ（実線で示した）。
【００４６】
ズボンの後身頃のパターンの作図においても同様に股上部および股下部の輪郭線を描いた後に、後折り山線２１を前折り山線１１１の移動量と同じ分量、脇方向〔図２（ｂ）では左方向〕に平行移動する。移動後の後折り山線１２１を実線で示した。内股線１２７および脇線１２８を膝線１３から下方は元の内股線２７および脇線２８に平行に脇方向に前折り山線１１１の移動量と同じ分量移動する。膝線１３から下方の移動後の内股線１２７および脇線１２８を一点鎖線で示した。膝線１３から上方の内股線１２７は移動後の点１４１（膝線２３の位置の点）と点２５（元の内股線の上端）とを滑らかなカーブで繋ぐ（実線で示した）。膝線２３から上方の脇線１２８は移動後の点１４２と点２６（渡り線２２の位置における元の脇線の点）とを滑らかなカーブで繋ぐ（実線で示した）。
【００４７】
このようにして、ズボンの前身頃および後身頃の基本パターンを作製する。
【００４８】
次に、図２および図３に基いて、本発明のズボンの修正パターンの作図方法を説明する。なお、図３は図２の膝線から下方部分の拡大図であるが、分かりやすくするために図２における従来パターン（二点鎖線で示した）を省略している。また、分かりやすくするために、実際のパターンにおける幅に対する移動量の割合よりも、移動量を大きくして描いている。
【００４９】
前身頃１および後身頃２の基本パターンにおいて膝線１３、２３から１０〜１６ｃｍ下方の位置をふくらはぎ線１０、２０とする。ふくらはぎ線は人体におけるふくらはぎが最も太い位置を想定したものであるが、実際の人体では背丈などによってふくらはぎが最も太い位置にはバラツキが生じる。多人数を３Ｄ計測した結果、膝とふくらはぎ（太い箇所）との間隔は殆ど１０〜１６ｃｍの間にあった。ふくらはぎ線１０、２０は膝線１３、２３から下方に１０ｃｍから１６ｃｍの間の位置にあればよく、例えば１３ｃｍとして設定する。
【００５０】
図３（ａ）に示すように、前身頃１の基本パターンにおいて、ふくらはぎ線１０から下方部分における内股線２１７ｂを基本パターンの内股線１１７よりも前折り山線１１１の方向に１〜５ｍｍ移動して描き、内股線２１７ｂの上端２１０と基本パターンの膝線１３の位置における内股線１１７の点１３１とを繋ぐように内股線２１７ａ描く。この際、上端２１０の箇所が尖らないように滑らかに内股線２１７ａと内股線２１７ｂとを繋ぐことが好ましい。
【００５１】
同様に、ふくらはぎ線１０から下方部分における脇線２１８ｂを基本パターンの脇線１１８よりも前折り山線１１１の方向に１〜５ｍｍ移動して描き（移動量は内股線２１７ｂと同じ）と、脇線２１８ｂの上端２１１と基本パターンの膝線１３の位置における脇線１１８の点１３２とを繋ぐように脇線２１８ａ描く。この際、上端２１１の箇所が尖らないように滑らかに脇線２１８ａと脇線２１８ｂとを繋ぐことが好ましい。
【００５２】
このようにして、前身頃１の膝線１３から下方部分の幅を狭めた修正パターンを作製する。
【００５３】
図３（ｂ）に示すように、後身頃２の基本パターンにおいては、ふくらはぎ線２０から下方部分における内股線２２７ｂを基本パターンの内股線１２７よりも後折り山線１２１から離れる方向に１〜５ｍｍ移動して描き（移動方向は逆であるが、移動量は前身頃の内股線２１７ｂと同じ）、内股線２２７ｂの上端２２０と基本パターンの膝線２３の位置における内股線１２７の点１４１とを繋ぐように内股線２２７ａ描く。この際、上端２２０の箇所が尖らないように滑らかに内股線２２７ａと内股線２２７ｂとを繋ぐことが好ましい。
【００５４】
同様に、ふくらはぎ線２０から下方部分における脇線２２８ｂを基本パターンの脇線１２８よりも後折り山線１２１から離れる方向に１〜５ｍｍ移動して描き（移動方向は逆であるが、移動量は前身頃の脇線２１８ｂと同じ）、脇線２２８ｂの上端２２１と基本パターンの膝線２３の位置における脇線１２８の点１４２とを繋ぐように脇線２２８ａ描く。この際、上端２２１の箇所が尖らないように滑らかに脇線２２８ａと脇線２２８ｂとを繋ぐことが好ましい。
【００５５】
このようにして、後身頃２の膝線２３から下方部分の幅を広げた修正パターンを作製する。
【００５６】
図２（ａ）および（ｂ）において実線で示した前身頃および後身頃の修正パターンに基いて生地を裁断する。そして、前身頃および後身頃を縫合わせる前に、前身頃生地および後身頃生地の移動後の折り山線１１１、１２１に沿ってプレスして折り目を付ける。この場合、前身頃生地では移動後の前折り山線１１１に沿って裾から内股線の上端１５の位置より５ｃｍ以上上まで、好ましくは前身頃の上縁まで、プレスにより折り目を付ける。他方、後身頃生地では移動後の後折り山線１２１に沿って裾から内股線の上端２５の位置より４ｃｍ以上上まで、好ましくはヒップライン５２付近まで、プレスにより折り目を付ける。
【００５７】
この折り目（プリーツ）を付ける際、熱と圧力によるプレス仕上げだけでよいが、ウール素材の生地の場合はシロセット加工やリントラク加工を行ったり、綿素材の生地の場合はリントラク加工を行ったりしてもよい。また、合成繊維の素材の生地の場合はプレスだけで充分熱セットできるが、リントラク加工を行ってもよい。
【００５８】
その後、通常通りに、前身頃生地と後身頃生地とを縫製してズボンを仕立てる。そして、仕上げプレスを行う際に、ズボンの筒状の脚部において、膝線付近から下方部分の脇縫い目および内股縫い目がわずかであるが、歪んでいるので、ここを真っ直ぐにするようにプレスする。
【００５９】
膝線付近から下方部分の脇縫い目および内股縫い目が歪む理由は、膝線１３、から下方部分では前身頃１の脇線２１８および内股線２１７はやや凹状であり、逆に後身頃２の脇線２２８および内股線２２７はやや凸状であり、凹部と凸部を縫合わせるために、屈曲する。
【００６０】
すなわち、図３に示すように、前身頃１の膝線１３から下方部分では、内股線２１７は点１３１と点２３３を結ぶ直線（図示せず）に対して点２１０は前折り山線１１１側に位置するので、線分２１７ａと線分２１７ｂは全体として凹状となる。同様に、脇線２１８は点１３２と点２３４を結ぶ直線（図示せず）に対して点２１１は前折り山線１１１側に位置するので、線分２１８ａと線分２１８ｂは全体として凹状となる。
【００６１】
一方、後身頃２の膝線２３から下方部分では、内股線２２７は点１４１と点２４３を結ぶ直線（図示せず）に対して点２２０は後折り山線１２１とは反対側に位置するので、線分２２７ａと線分２１７ｂは全体として凸状となる。同様に、脇線２２８は点１４２と点２４４を結ぶ直線（図示せず）に対して点２２１は後折り山線１２１とは反対側に位置するので、線分２２８ａと線分２２８ｂは全体として凸状となる。
【００６２】
そして、凸部と凹部を縫合わせると、真っ直ぐな縫い目とはならず、歪んだ縫い目となる。このように歪んだ縫い目を仕上げプレス工程において、膝線付近から下方部分の内股縫い目および脇縫い目を真っ直ぐにするようにプレスする。
【００６３】
このようにプレスすると、前身頃生地および後身頃生地の地の目が変形して、膝線付近から下方部分が前側に移動した状態となり、脇縫い目は膝線より上方の部分に対して下方の部分は前側に傾く。すなわち、本発明のズボンにおいては、図１（ｂ）に示すように、ウエスト部下端から裾までの脇縫い目において、脇縫い目１６８の上方部分が垂直になるようにズボンを配置した場合、脇縫い目１６８の下方部分が前側に傾いている。
【００６４】
これに対して、図１（ｄ）に示す従来のズボンでは、脇縫い目６８の上方部分が垂直になるようにズボンを配置した場合、ズボンの脇縫い目６８は裾まで垂直になる。
【００６５】
また、図１（ａ）に示すように、本発明の方法により製作されたズボンを上から見ると、後側折り目１２１がヒップライン５２付近までプレスで付けられているので、ウエストベルト３の後中心が窪んでいる。また、前折り山線を脇方向に移動したことにより、前身頃の股上部は外側部（前側折り目から脇縫い目まで）の幅が狭く、内側部（前側折り目から前中心まで）の幅が広くなっている。
【００６６】
これに対して図１（ｃ）に示したように、従来のズボンを上から見ると、ウエストベルト３は後中心で２つ折りにされており、前身頃の股上部の内側部は本発明のズボンに比較すると幅が狭い。
【００６７】
本発明のズボンのパターンでは、前身頃１および後身頃２の折り山線１１１および１２１を脇方向に移動したことにより、渡り線１２、２２付近において、折り山線から内股線までの幅が広くなり、逆に折り山線から脇線までの幅が狭くなっている。従って、図４に示すように、本発明のズボンにおいては、股下十字付近では内股縫い目１６９から前側折り目１１１および後側折り目１２１までの幅が従来よりも広くなっている。このため、内股の部分に従来よりもゆとり１ａ、２ａができる。このようなゆとりがあるので、動きやすく、また、着用者に窮屈な感じを与えない。着用者の内腿に贅肉がついている場合にも、その部分にゆとりがあるので、窮屈感が生じない。
【符号の説明】
【００６８】
１  前身頃
２  後身頃
１１  従来の前折り山線
２１  従来の後折り山線
１１１  本発明の前折り山線
１２１  本発明の後折り山線
１２、２２  渡り線
１３、２３  膝線
１０、２０  本発明のふくらはぎ線
１５、２５  内股線の上端
１６、２６  渡り線の位置における脇線
１７、２７  従来の内股線
１１７、１２７  本発明における基本パターンの内股線
２１７、２２７  本発明の内股線
１８、２８  脇線
１１８、１２８  本発明における基本パターンの脇線
２１８、２２８  本発明の脇線
１３１、１４１  膝線の位置における本発明の内股線の点
１３２、１４２  膝線の位置における脇線の点
２１０、２２０  ふくらはぎ線の位置における内股線の点
２１１、２２１  ふくらはぎ線の位置における脇線の点
【要約】
【課題】      見た目がスリムであり、しかも着用していて楽であり、脚を挙げる等の動作が行い易いズボンを提供する。
【解決手段】  本発明のズボンは、左右の各前身頃１において、前折り山線１１１が股下十字の位置における前身頃の幅の中心から脇方向に移動量１〜３ｃｍ偏位しており、ズボンの左右の各後身頃２において、後折り山線１２１が前記移動量と同じ分量、脇方向に偏位しており、前折り山線に沿って裾から股下十字の位置より５ｃｍ以上上まで折り目が付けられており、後折り山線に沿って裾から股下十字の位置より４ｃｍ以上上まで折り目が付けられている。ウエスト部下端から裾までの脇縫い目において、脇縫い目の上方部分が垂直になるようにズボンを配置した場合、脇縫い目１６８の下方部分が前側に傾いている。
【選択図】    図１【図１】
0005475177.tif 000002
【図２】
0005475177.tif 000003
【図３】
0005475177.tif 000004
【図４】
0005475177.tif 000005